【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
表示データを生成する表示データ生成部と、前記表示データ生成部にて生成された表示データを表示する表示部とを有する表示装置であって、
前記表示データ生成部は、
前記表示データを分割しＮ（Ｎは１以上の整数）個のシリアル信号を生成する分割手段と、
前記分割手段にて生成された各々のシリアル信号に対して、それぞれが異なる符号を乗算し、前記乗算の結果の信号を出力する複数の乗算手段と、
前記乗算手段にて出力された信号を電磁波信号に変換し、前記電磁波信号を送信する１個または前記Ｎ個の送信手段とを有し、
前記表示部は、
前記表示データを表示する表示手段と、
前記送信手段にて送信された電磁波信号を受信する１個または前記Ｎ個の受信手段と、
前記受信手段にて受信された電磁波信号と前記符号との相関を計算して、前記受信手段にて受信された電磁波信号を前記Ｎ個のシリアル信号に復元する１個または前記Ｎ個の復元手段と、
前記復元手段にて復元されたシリアルを並列信号に復元し、前記復元された並列信号に基づき前記表示手段を駆動する駆動手段とを有することを特徴とする表示装置。
【請求項２】
前記送信手段は、
前記乗算手段にて出力された信号を合成し前記Ｎ個より少ない個数のシリアル信号に合成する合成手段と、
前記合成手段にて合成された信号を所定の無線周波数に変調し、前記変調の結果の信号を出力する変調手段と、
前記変調手段にて出力された信号を受けて電磁波を放射する送信アンテナとを有することを特徴とする請求項１に記載の表示装置。
【請求項３】
前記送信手段は、
それぞれの前記乗算手段にて出力された信号を変調し所定の無線周波数に変調する複数の変調手段と、
それぞれの前記変調手段にて出力された信号を受けて電磁波を放射する複数の送信アンテナとを有することを特徴とする請求項１に記載の表示装置。
【請求項４】
前記乗算手段にて出力された信号は、電磁界エネルギーを放射可能な無線周波数成分を有し、それぞれの前記乗算手段にて出力された信号を受けて電磁波を放射する複数の送信アンテナを有することを特徴とする請求項１に記載の表示装置。
【請求項５】
前記表示手段は、マトリックス状に配置された画素を有し、線順次走査により表示データを表示することを特徴とする請求項１乃至請求項４のいずれか一項に記載の表示装置。
【請求項６】
前記分割手段は、各前記画素の画素データをビット毎に分割し、前記画素毎にシリアル出力することを特徴とする請求項１乃至請求項５のいずれか一項に記載の表示装置。
【請求項７】
前記分割手段は、前記表示手段の列を前記Ｎ組に分割し、前記表示手段の列の各組の画素信号を並列に出力することを特徴とする請求項１乃至請求項５のいずれか一項に記載の表示装置。
【請求項８】
表示データを生成する表示データ生成部と、前記表示データ生成部にて生成された表示データを表示する表示部とを有する表示装置であって、
前記表示データ生成部は、
前記表示データをＮ（Ｎは１以上の整数）組の列に分割し、それぞれの前記列毎の表示データをシリアル信号に変換し、前記シリアル信号を出力する分割手段と、
各々の前記シリアル信号に対して、それぞれが異なる符号を乗算し、前記乗算の結果の信号を出力する乗算手段と、
前記乗算手段にて出力された信号を合成し前記Ｎ個より少ない個数のシリアル信号に合成する合成手段と、
前記合成手段にて合成された信号を電磁波信号に変換し、前記電磁波信号を送信する１個または前記Ｎ個の送信手段とを有し、
前記表示部は、
前記表示データを表示する、マトリックス状に配置された画素を有する表示手段と、
前記電磁波信号を受信し復調する１個または前記Ｎ個の復調手段と、
前記復調手段にて復調された信号と前記符号との相関を計算することにより、前記復調手段にて復調された信号を前記Ｎ個のシリアル信号に復元する１個または前記Ｎ個の復元手段と、
前記復元手段にて復元されたシリアル信号を記憶する記憶手段と、
前記記憶手段にて記憶されたシリアル信号を並列信号に復元し、前記復元された並列信号に基づき前記表示手段を前記列毎に駆動する駆動手段とを有することを特徴とする表示装置。
【請求項９】
前記分割手段は、前記表示手段において書き換えを行う表示データの組のみを出力することを特徴とする請求項８に記載の表示装置。
【請求項１０】
前記乗算手段に供給される符号を発生する第１の符号発生手段と、
前記復元手段に供給され、前記乗算手段に供給される符号と同一の符号を発生する第２の符号発生手段とを有し、
前記第１の符号発生手段と前記第２の符号発生手段とは同一のクロック信号にて同期が取られることを特徴とする請求項１乃至請求項９のいずれか一項に記載の表示装置。
【請求項１１】
表示データを生成する表示データ生成部と、前記表示データ生成部にて生成された表示データを表示する表示部とを有する表示装置であって、
前記表示データ生成部は、
表示データを発生し、前記表示データを表示信号に変換して出力する表示データ発生手段と、
前記表示データ発生手段にて出力された信号を電磁波信号に変換し、前記電磁波信号を送信する１個またはＮ（Ｎは１以上の整数）個の送信手段とを有し、
前記表示部は、
前記表示データを表示する、マトリックス状に配置された画素を有し、線順次走査により駆動される表示手段と、
前記電磁波信号を受信し、前記電磁波信号を前記表示データに復調する１個または前記Ｎ個の復調手段と、
前記復調手段にて復調された表示データを所定の各画素に駆動データとして配分する前記Ｎ組の駆動手段と、
前記表示手段の隣接する走査線間で表示データの異なる画素を検出する検出手段とを有し、
直近の走査線上で表示される表示データと異なる表示データが表示される１以上の画素を含む組に対してのみ、前記表示データ発生手段から前記駆動手段へ表示データが送出されることを特徴とする表示装置。
【請求項１２】
前記駆動手段の各組には、符号多重のための符号が割り振られており、前記表示データ発生手段から前記駆動手段への表示データの伝送は、前記符号により前記駆動手段のどの組へ送られたものかを指定することを特徴とする請求項１１に記載の表示装置。
【請求項１３】
前記符号は、直交符号、位相がシフトされた同一のＰＮ符号または位相がシフトされオフセットが加えられた同一のＰＮ符号であることを特徴とする請求項１乃至請求項１２のいずれか一項に記載の表示装置。
【請求項１４】
表示データを表示する表示部を有する表示装置の制御方法であって、
前記表示データを生成する表示データ生成工程と、
前記表示データ生成工程にて生成された表示データを分割しＮ（Ｎは１以上の整数）個のシリアル信号を生成する分割工程と、
前記分割工程にて生成された各々のシリアル信号に対して、それぞれが異なる符号を乗算し、前記乗算の結果の信号を出力する乗算工程と、
前記乗算工程にて出力された信号を電磁波信号に変換し、変換された前記電磁波信号を送信する送信工程と、
前記送信工程にて送信された電磁波信号を受信する受信工程と、
前記受信工程にて受信された電磁波信号と前記符号との相関を計算することにより、前記受信工程にて受信された電磁波信号を前記Ｎ個のシリアル信号に復元する復元工程と、
前記復元工程にて復元されたシリアルを並列信号に復元し、前記復元された並列信号に基づき前記表示部を駆動する駆動工程と、
前記駆動工程による駆動に基づいて、前記復元された並列信号を前記表示部に表示する表示工程とを有することを特徴とする表示装置の制御方法。
【請求項１５】
表示データを表示する、マトリックス状に配置された画素を有する表示部を有する表示装置の制御方法であって、
前記表示データを生成する表示データ生成工程と、
前記表示データ生成工程にて生成された表示データをＮ（Ｎは１以上の整数）組の列に分割し、それぞれの前記列毎の表示データをシリアル信号に変換し、前記シリアル信号を出力する分割工程と、
前記分割工程にて出力された各々の前記シリアル信号に対して、それぞれが異なる符号を乗算し、前記乗算の結果の信号を出力する乗算工程と、
前記乗算工程にて出力された信号を合成し前記Ｎ個より少ない個数のシリアル信号に合成する合成工程と、
前記合成工程にて合成された信号を電磁波信号に変換し、前記電磁波信号を送信する送信工程と、
前記送信工程にて送信された電磁波信号を受信し復調する復調工程と、
前記復調工程にて復調された信号と前記符号との相関を計算することにより、前記復調工程にて復調された信号を前記Ｎ個のシリアル信号に復元する復元工程と、
前記復元工程にて復元されたシリアル信号を記憶する記憶手段と、
前記記憶工程にて記憶されたシリアル信号を並列信号に復元し、前記復元された並列信号に基づき前記表示手段を前記列毎に駆動する駆動工程と、
前記駆動工程による駆動に基づいて、前記復元された並列信号を前記表示部に表示する表示工程とを有することを特徴とする表示装置の制御方法。
【請求項１６】
表示データを表示する、マトリックス状に配置された画素を有し、線順次走査により駆動される表示部を有する表示装置の制御方法であって、
前記表示部の走査線毎に表示データを発生し、前記表示データを表示信号に変換して出力する表示データ発生工程と、
前記表示データ発生工程にて出力された信号を電磁波信号に変換し、前記電磁波信号を送信する送信工程と、
前記電磁波信号を受信し、前記電磁波信号を前記表示データに復調する復調工程と、
前記復調工程にて復調された表示データを所定の前記各画素に駆動データとして配分する駆動工程と、
前記表示部の隣接する走査線間で表示データの異なる画素を検出する検出工程と、
直近の走査線上で表示される表示データと異なる表示データが表示される１以上の画素を含む組に対してのみ、前記表示データ発生工程から前記駆動工程へ表示データを送出する表示データ選択送出工程と、
前記駆動工程による駆動に基づいて、前記復調工程にて復調された表示データを前記表示部に表示する表示工程とを有することを特徴とする表示装置の制御方法。
【手続補正２】
【補正対象書類名】明細書
【補正対象項目名】発明の名称
【補正方法】変更
【補正の内容】
【発明の名称】表示装置および表示装置の制御方法
【手続補正３】
【補正対象書類名】明細書
【補正対象項目名】００１８
【補正方法】変更
【補正の内容】
【００１８】
本発明による表示装置は、表示データを生成する表示データ生成部と、前記表示データ生成部にて生成された表示データを表示する表示部とを有する表示装置であって、前記表示データ生成部は、前記表示データを分割しＮ（Ｎは１以上の整数）個のシリアル信号を生成する分割手段と、分割手段にて生成された各々の前記シリアル信号に対して、それぞれが異なる符号を乗算し、前記乗算の結果の信号を出力する複数の乗算手段と、前記乗算手段にて出力された信号を電磁波信号に変換し、前記電磁波信号を送信する１個または前記Ｎ個の送信手段とを有し、前記表示部は、前記表示データを表示する表示手段と、前記送信手段にて送信された電磁波信号を受信する１個または前記Ｎ個の受信手段と、前記受信手段にて受信された電磁波信号と前記符号との相関を計算して、前記受信手段にて受信された電磁波信号を前記Ｎ個のシリアル信号に復元する１個または前記Ｎ個の復元手段と、前記復元手段にて復元されたシリアルを並列信号に復元し、前記復元された並列信号に基づき前記表示手段を駆動する駆動手段とを有することを特徴とする。
【手続補正４】
【補正対象書類名】明細書
【補正対象項目名】００２０
【補正方法】変更
【補正の内容】
【００２０】
本発明による表示装置の前記送信手段は、前記乗算手段にて出力された信号を合成し前記Ｎ個より少ない個数のシリアル信号に合成する合成手段と、前記合成手段にて合成された信号を所定の無線周波数に変調し、前記変調の結果の信号を出力する変調手段と、前記変調手段にて出力された信号を受けて電磁波を放射する送信アンテナとを有することを特徴とする。
本発明の上記構成によれば、表示データ信号は多重化され、Ｎより少ない数の変調手段およびアンテナ手段により送信されるため、変調手段やアンテナ手段の数が少なくて済み、また多重化された各チャネルの信号のばらつきのレベルを小さく抑えることが可能となり、装置の実現を容易にする。
【手続補正５】
【補正対象書類名】明細書
【補正対象項目名】００２１
【補正方法】変更
【補正の内容】
【００２１】
本発明による表示装置の前記送信手段は、それぞれの前記乗算手段にて出力された信号を変調し所定の無線周波数に変調する複数の変調手段と、それぞれの前記複数の変調手段にて出力された信号を受けて電磁波を放射する複数の送信アンテナとを有することを特徴とする。
本発明の上記構成によれば、分割された表示データ信号は符号を乗算した後、合成することなく分割された信号毎に直接変調され、異なるアンテナから電磁波信号として放射され、信号の合成は空間にて行われるため、アナログ加算の必要な合成のための回路が不要となり、半導体集積回路による実現が容易になる。
【手続補正６】
【補正対象書類名】明細書
【補正対象項目名】００２２
【補正方法】変更
【補正の内容】
【００２２】
本発明による表示装置の前記乗算手段にて出力された信号は、電磁界エネルギーを放射可能な無線周波数成分を有し、それぞれの前記乗算手段にて出力された信号を受けて電磁波を放射する複数の送信アンテナを有することを特徴とする。
本発明の上記構成によれば、乗算手段により乗算される符号に十分な無線周波エネルギーを含むものを用いているので、乗算手段に変調手段の機能を兼ねることが可能となり、信号を無線周波数に変調する変調手段が不要となり、回路構成を簡略化できる。
【手続補正７】
【補正対象書類名】明細書
【補正対象項目名】００２３
【補正方法】変更
【補正の内容】
【００２３】
本発明による表示装置の前記表示手段は、マトリックス状に配置された画素を有し、線順次走査により表示データを表示することを特徴とする。
本発明の前記構成によれば、平面テレビジョンやノートブックコンピュータの表示など大型大容量の表示装置に実施が可能となる。
本発明による表示装置の前記分割手段は、各前記画素の画素データをビット毎に分割し、前記画素毎にシリアル出力することを特徴とする。
【手続補正８】
【補正対象書類名】明細書
【補正対象項目名】００２４
【補正方法】変更
【補正の内容】
【００２４】
本発明の上記構成によって、従来並列に出力され伝送されるか、または並直変換し高速なシリアルデータとして伝送していた画素データを、画素毎の符号分割多重により伝送することが可能となり、またビット毎の転送速度を下げることができ、電磁波の伝送路に要求される条件を緩和できる。
本発明による表示装置の前記分割手段は、前記表示手段の列を前記Ｎ組に分割し、前記表示手段の列の各組の画素信号を並列に出力することを特徴とする。
【手続補正９】
【補正対象書類名】明細書
【補正対象項目名】００２６
【補正方法】変更
【補正の内容】
【００２６】
本発明による表示装置は、表示データを生成する表示データ生成部と、前記表示データ生成部にて生成された表示データを表示する表示部とを有する表示装置であって、前記表示データ生成部は、前記表示データをＮ（Ｎは１以上の整数）組の列に分割し、それぞれの前記列毎の表示データをシリアル信号に変換し、前記シリアル信号を出力する分割手段と、各々の前記シリアル信号に対して、それぞれが異なる符号を乗算し、前記乗算の結果の信号を出力する乗算手段と、前記乗算手段にて出力された信号を合成し前記Ｎ個より少ない個数のシリアル信号に合成する合成手段と、前記合成手段にて合成された信号を電磁波信号に変換し、前記電磁波信号を送信する１個または前記Ｎ個の送信手段とを有し、前記表示部は、前記表示データを表示する、マトリックス状に配置された画素を有する表示手段と、前記電磁波信号を受信し復調する１個または前記Ｎ個の復調手段と、前記復調手段にて復調された信号と前記符号との相関を計算することにより、前記復調手段にて復調された信号を前記Ｎ個のシリアル信号に復元する１個または前記Ｎ個の復元手段と、前記復元手段にて復元されたシリアル信号を記憶する記憶手段と、前記記憶手段にて記憶されたシリアル信号を並列信号に復元し、前記復元された並列信号に基づき前記表示手段を前記列毎に駆動する駆動手段とを有することを特徴とする。
【手続補正１０】
【補正対象書類名】明細書
【補正対象項目名】００２８
【補正方法】変更
【補正の内容】
【００２８】
本発明による表示装置は、前記分割手段は、前記表示手段において書き換えを行う表示データの組のみを出力することを特徴とする。
本発明による上記構成によれば、表示手段に対して伝送される画素データは書き換えを行う部分に対してのみ行うことを可能とし、従って表示画像が静止していても、常にフレーム毎に画像データを転送更新する従来の方式に比べて、著しくその消費電力を減らすことが可能となる。
【手続補正１１】
【補正対象書類名】明細書
【補正対象項目名】００２９
【補正方法】変更
【補正の内容】
【００２９】
本発明による表示装置は、前記乗算手段に供給される符号を発生する第１の符号発生手段と、前記復元手段に供給され、前記乗算手段に供給される符号と同一の符号を発生する第２の符号発生手段とを有し、前記第１の符号発生手段と前記第２の符号発生手段とは同一のクロック信号にて同期が取られることを特徴とする。
本発明による上記構成によれば、受信側での拡散符号発生の同期のための信号を直接送信側から取得することが可能となる。このため、受信側で拡散符号発生の同期を取るための特別な回路が必要なくなり、同期捕捉を簡略化することができる。
【手続補正１２】
【補正対象書類名】明細書
【補正対象項目名】００３０
【補正方法】変更
【補正の内容】
【００３０】
本発明による表示装置は、表示データを生成する表示データ生成部と、前記表示データ生成部にて生成された表示データを表示する表示部とを有する表示装置であって、前記表示データ生成部は、表示データを発生し、前記表示データを表示信号に変換して出力する表示データ発生手段と、前記表示データ発生手段にて出力された信号を電磁波信号に変換し、前記電磁波信号を送信する１個またはＮ（Ｎは１以上の整数）個の送信手段とを有し、前記表示部は、前記表示データを表示する、マトリックス状に配置された画素を有し、線順次走査により駆動される表示手段と、前記電磁波信号を受信し、前記電磁波信号を前記表示データに復調する１個または前記Ｎ個の復調手段と、前記復調手段にて復調された表示データを所定の各画素に駆動データとして配分する前記Ｎ組の駆動手段と、前記表示手段の隣接する走査線間で表示データの異なる画素を検出する検出手段とを有し、直近の走査線上で表示される表示データと異なる表示データが表示される１以上の画素を含む組に対してのみ、前記表示データ発生手段から前記駆動手段へ表示データが送出されることを特徴とする。